【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
プロセッサを制御して、呼吸可能なガスの測定フローから漏れを検出する方法であって、該プロセッサの該方法は、
呼吸可能なガスの測定フローから換気量測定値と漏れ測定値とを求めるステップと、
前記換気量測定値及び前記漏れ測定値を解析して、該換気量測定値及び該漏れ測定値の同時変化を検出する、解析するステップと、
前記同時変化に基づいて漏れ事象を特定するステップと、
を含む、プロセッサを制御して、呼吸可能なガスの測定フローから漏れを検出する方法。
【請求項２】
前記同時変化は、前記漏れ測定値の増加と、前記換気量測定値の減少とを含む、請求項１に記載の方法。
【請求項３】
前記同時変化は、前記漏れ測定値の減少と、前記換気量測定値の増加とを含む、請求項１に記載の方法。
【請求項４】
前記換気量測定値及び前記漏れ測定値を解析して、該換気量測定値及び該漏れ測定値の更なる同時変化を検出する、解析するステップを更に含む、請求項１に記載の方法。
【請求項５】
前記漏れ事象の持続時間を求めるステップを更に含み、該持続時間は前記同時変化とともに開始し、前記更なる同時変化とともに終了する、請求項４に記載の方法。
【請求項６】
前記換気量測定値は、二分割されたフローの前記測定値の低域通過フィルタリングされた絶対値を含み、前記漏れ測定値は、計算された漏れコンダクタンスの関数として求められた瞬時漏れを含む、請求項１に記載の方法。
【請求項７】
前記解析するステップは、前記換気量測定値及び前記漏れ測定値を表すデータを用いて共分散を求めるステップを含む、請求項１に記載の方法。
【請求項８】
前記解析するステップは、前記漏れ測定値を表すデータを用いて勾配を求めるステップを更に含む、請求項７に記載の方法。
【請求項９】
前記解析するステップは、前記勾配の正負符号と前記共分散との積を積分するステップを更に含む、請求項８に記載の方法。
【請求項１０】
前記漏れ事象を特定するステップは、前記積分された積と閾値との比較に基づいて連続口漏れ事象をスコアリングするステップを含む、請求項９に記載の方法。
【請求項１１】
前記特定された前記漏れ事象に基づいて圧力治療への調整を制御するステップを更に含む、請求項１に記載の方法。
【請求項１２】
漏れ検出装置であって、
呼吸可能なガスの測定フローを表すデータにアクセスする少なくとも１つのプロセッサを有するコントローラであって、該コントローラは、
呼吸可能なガスの測定フローから換気量測定値と漏れ測定値とを求め、
前記換気量測定値及び前記漏れ測定値を解析して、該換気量測定値及び該漏れ測定値の同時変化を検出し、
前記同時変化に基づいて漏れ事象を特定する、
ように更に構成される、コントローラを備える、漏れ検出装置。
【請求項１３】
前記同時変化は、前記漏れ測定値の増加と、前記換気量測定値の減少とを含む、請求項１２に記載の装置。
【請求項１４】
前記同時変化は、前記漏れ測定値の減少と、前記換気量測定値の増加とを含む、請求項１２に記載の装置。
【請求項１５】
前記コントローラは、前記換気量測定値及び前記漏れ測定値を解析して、該換気量測定値及び該漏れ測定値の更なる同時変化を検出するように更に構成される、請求項１２に記載の装置。
【請求項１６】
前記コントローラは、前記漏れ事象の持続時間を求めるように更に構成され、該持続時間は前記同時変化とともに開始し、前記更なる同時変化とともに終了する、請求項１５に記載の装置。
【請求項１７】
前記同時変化は、前記漏れ測定値の増加と、前記換気量測定値の減少とを含み、前記更なる同時変化は、前記漏れ測定値の減少と、前記換気量測定値の増加とを含む、請求項１６に記載の装置。
【請求項１８】
前記換気量測定値は、二分割されたフローの前記測定値の低域通過フィルタリングされた絶対値を含み、前記漏れ測定値は、計算された漏れコンダクタンスの関数として求められた瞬時漏れを含む、請求項１２に記載の装置。
【請求項１９】
前記解析は、前記換気量測定値及び前記漏れ測定値を表すデータを用いて共分散を求める、請求項１２に記載の装置。
【請求項２０】
前記解析は、前記漏れ測定値を表すデータを用いて勾配を更に求める、請求項１９に記載の装置。
【請求項２１】
前記解析は、前記勾配の正負符号と前記共分散との積を積分する、請求項２０に記載の装置。
【請求項２２】
前記漏れ事象を特定することは、前記積分された積と閾値との比較に基づいて連続口漏れ事象をスコアリングすることを含む、請求項２１に記載の装置。
【請求項２３】
フローセンサであって、前記コントローラは、該フローセンサを用いて前記呼吸可能なガスの測定フローを求めるように更に構成される、フローセンサと、
患者に対し大気圧よりも高い圧力で呼吸可能なガスを生成するように構成されたフロー生成器であって、前記コントローラは前記フロー生成器を制御して、前記検出された漏れに基づく圧力治療計画に従って前記呼吸可能なガスを生成するように更に構成される、フロー生成器と、
を更に備える、請求項１２に記載の装置。
【請求項２４】
漏れ検出装置であって、
呼吸可能なガスの測定フローを表すデータにアクセスする少なくとも１つのプロセッサを有するコントローラであって、該コントローラは、
前記呼吸可能なガスの測定フローから複数の特徴を求め、
時間閾値及び大きさ閾値を用いて前記複数の特徴を解析し、
前記解析に基づいて、連続口漏れを表す漏れインジケータを設定する、
ように構成される、コントローラを備える、漏れ検出装置。
【請求項２５】
前記複数の特徴は第１の特徴及び第２の特徴を含み、
前記解析は、前記第１の特徴を比較して、前記時間閾値に起因する所定の時間期間にわたって存在する前記第１の特徴の変化を検出することを含み、
前記解析は、前記所定の時間期間にわたる前記変化を検出する前記第１の特徴の前記比較に基づいて、前記第２の特徴を前記大きさ閾値と比較することを更に含む、請求項２４に記載の装置。
【請求項２６】
前記第１の特徴は変更済みの共分散信号を含む、請求項２５に記載の装置。
【請求項２７】
前記第１の特徴の前記変化は負である、請求項２６に記載の装置。
【請求項２８】
前記第２の特徴は共分散和を含む、請求項２６に記載の装置。
【請求項２９】
前記漏れインジケータは、前記比較によって前記第２の特徴が前記閾値未満に下降していることが検出された場合、連続口漏れを表すように設定される、請求項２８に記載の装置。
【請求項３０】
前記第１の特徴及び前記第２の特徴は、換気量測定値及び瞬時漏れ測定値から導出される、請求項２８に記載の装置。
【請求項３１】
フローセンサであって、前記コントローラは、該フローセンサを用いて前記呼吸可能なガスの測定フローを求めるように更に構成される、フローセンサと、
患者に対し大気圧よりも高い圧力で呼吸可能なガスを生成するように構成されたフロー生成器であって、前記コントローラは前記フロー生成器を制御して、圧力治療計画に従って前記呼吸可能なガスを生成するように更に構成される、フロー生成器と、
を更に備える、請求項２４に記載の装置。
【請求項３２】
前記コントローラは前記フロー生成器を制御して、前記漏れインジケータに基づく前記圧力治療計画に従って前記呼吸可能なガスを生成するように更に構成される、請求項３１に記載の装置。
【請求項３３】
呼吸治療装置のための漏れ検出方法であって、
呼吸治療装置と関連付けられた呼吸可能なガスの測定フローから複数の特徴を求めるステップと、
プロセッサにおいて、時間閾値及び大きさ閾値を用いて前記複数の特徴を解析するステップと、
前記解析に基づいて、連続口漏れを表す漏れインジケータを設定するステップと、
を含む、呼吸治療装置のための漏れ検出方法。
【請求項３４】
漏れ検出及び漏れ制御のための呼吸治療装置であって、
呼吸可能なガスに起因した圧力及びフローを測定するように構成されたセンサと、
患者に対し大気圧よりも高い圧力で呼吸可能なガスを生成するように構成されたフロー生成器と、
少なくとも１つのプロセッサを有するコントローラであって、前記センサ及び前記フロー生成器と結合され、該フロー生成器を制御して、圧力治療計画に従って前記呼吸可能なガスを生成するように構成され、該コントローラは、
測定フロー信号の解析に基づいて漏れ事象を検出するように構成された漏れ検出モジュールと、
前記フロー生成器によって供給される治療圧力を、前記漏れ検出モジュールの出力の大きさの関数として調整するように構成された圧力調整モジュールであって、該調整は前記漏れ事象を低減するためのものである、圧力調整モジュールと、
を備える、コントローラと、
を備える、漏れ検出及び漏れ制御のための呼吸治療装置。
【請求項３５】
前記漏れ検出モジュールは、連続口漏れを検出するように構成される、請求項３４に記載の装置。
【請求項３６】
前記圧力調整モジュールは、圧力を前記漏れの関数として減少させるように構成される、請求項３４に記載の装置。
【請求項３７】
前記圧力調整モジュールは、圧力を前記漏れの関数として増加させるように構成される、請求項３４に記載の装置。
【請求項３８】
前記圧力調整モジュールは、患者フロー信号を解析して、圧力の増加及び圧力の減少の調整確率を計算するように構成される、請求項３４に記載の装置。
【請求項３９】
前記圧力調整モジュールは、前記調整確率と閾値との比較に基づいて圧力を調整するように構成される、請求項３８に記載の装置。
【請求項４０】
前記コントローラは呼吸可能なガスの測定フローを表すデータにアクセスし、それによって、
前記呼吸可能なガスの測定フローから複数の特徴を求め、
時間閾値及び大きさ閾値を用いて前記複数の特徴を解析し、
前記解析に基づいて、連続口漏れを表す漏れインジケータを設定する、
ように更に構成される、請求項３８に記載の装置。
【請求項４１】
前記複数の特徴は第１の特徴及び第２の特徴を含み、
前記解析は、前記第１の特徴を比較して、前記時間閾値に起因する所定の時間期間にわたって存在する前記第１の特徴の変化を検出することを含み、
前記解析は、前記所定の時間期間にわたる前記変化を検出する前記第１の特徴の前記比較に基づいて、前記第２の特徴を前記大きさ閾値と比較することを更に含む、
請求項４０に記載の装置。
【請求項４２】
前記第１の特徴は、変更済みの共分散信号を含み、前記第２の特徴は共分散和を含む、請求項４１に記載の装置。
【請求項４３】
漏れ検出及び漏れ制御のための呼吸治療装置の方法であって、
大気圧よりも高い圧力で生成された呼吸可能なガスに起因した圧力及びフローを測定するステップと、
測定フロー信号の解析に基づいて漏れ事象を検出するステップと、
治療圧力を、前記検出された漏れ事象の大きさの関数として調整するステップであって、該調整は前記漏れ事象を低減するためのものである、調整するステップと、
を含む、漏れ検出及び漏れ制御のための呼吸治療装置の方法。
【手続補正２】
【補正対象書類名】明細書
【補正対象項目名】０１４０
【補正方法】変更
【補正の内容】
【０１４０】
さらに、本明細書における技術を特定の実施形態を参照して説明したが、これらの実施形態が本技術の原理及び用途の単なる例示であることが理解されよう。したがって、多くの変更を例示的な実施形態に行うことができること、並びに本技術の趣旨及び範囲から逸脱せずに他の構成を考案できることを理解されたい。例えば、様々な異なる検出された漏れからのデータを結合するファジー論理が実施されたが、検出された異なるタイプの漏れを定量化したものに基づいて深刻度インデックスを生成する他の方法を採用することもできる。
［実施形態の説明］
［実施形態１］
プロセッサを制御して、呼吸可能なガスの測定フローから漏れを検出する方法であって、該プロセッサの該方法は、
呼吸可能なガスの測定フローから換気量測定値と漏れ測定値とを求めるステップと、
前記換気量測定値及び前記漏れ測定値を解析して、該換気量測定値及び該漏れ測定値の同時変化を検出する、解析するステップと、
前記同時変化に基づいて漏れ事象を特定するステップと、
を含む、プロセッサを制御して、呼吸可能なガスの測定フローから漏れを検出する方法。
［実施形態２］
前記同時変化は、前記漏れ測定値の増加と、前記換気量測定値の減少とを含む、実施形態１に記載の方法。
［実施形態３］
前記同時変化は、前記漏れ測定値の減少と、前記換気量測定値の増加とを含む、実施形態１に記載の方法。
［実施形態４］
前記換気量測定値及び前記漏れ測定値を解析して、該換気量測定値及び該漏れ測定値の更なる同時変化を検出する、解析するステップを更に含む、実施形態１に記載の方法。
［実施形態５］
前記漏れ事象の持続時間を求めるステップを更に含み、該持続時間は前記同時変化とともに開始し、前記更なる同時変化とともに終了する、実施形態４に記載の方法。
［実施形態６］
前記換気量測定値は、二分割されたフローの前記測定値の低域通過フィルタリングされた絶対値を含み、前記漏れ測定値は、計算された漏れコンダクタンスの関数として求められた瞬時漏れを含む、実施形態１に記載の方法。
［実施形態７］
前記解析するステップは、前記換気量測定値及び前記漏れ測定値を表すデータを用いて共分散を求めるステップを含む、実施形態１に記載の方法。
［実施形態８］
前記解析するステップは、前記漏れ測定値を表すデータを用いて勾配を求めるステップを更に含む、実施形態７に記載の方法。
［実施形態９］
前記解析するステップは、前記勾配の正負符号と前記共分散との積を積分するステップを更に含む、実施形態８に記載の方法。
［実施形態１０］
前記漏れ事象を特定するステップは、前記積分された積と閾値との比較に基づいて連続口漏れ事象をスコアリングするステップを含む、実施形態９に記載の方法。
［実施形態１１］
前記特定された前記漏れ事象に基づいて圧力治療への調整を制御するステップを更に含む、実施形態１に記載の方法。
［実施形態１２］
漏れ検出装置であって、
呼吸可能なガスの測定フローを表すデータにアクセスする少なくとも１つのプロセッサを有するコントローラであって、該コントローラは、
呼吸可能なガスの測定フローから換気量測定値と漏れ測定値とを求め、
前記換気量測定値及び前記漏れ測定値を解析して、該換気量測定値及び該漏れ測定値の同時変化を検出し、
前記同時変化に基づいて漏れ事象を特定する、
ように更に構成される、コントローラを備える、漏れ検出装置。
［実施形態１３］
前記同時変化は、前記漏れ測定値の増加と、前記換気量測定値の減少とを含む、実施形態１２に記載の装置。
［実施形態１４］
前記同時変化は、前記漏れ測定値の減少と、前記換気量測定値の増加とを含む、実施形態１２に記載の装置。
［実施形態１５］
前記コントローラは、前記換気量測定値及び前記漏れ測定値を解析して、該換気量測定値及び該漏れ測定値の更なる同時変化を検出するように更に構成される、実施形態１２に記載の装置。
［実施形態１６］
前記コントローラは、前記漏れ事象の持続時間を求めるように更に構成され、該持続時間は前記同時変化とともに開始し、前記更なる同時変化とともに終了する、請求項１５に記載の装置。
［実施形態１７］
前記同時変化は、前記漏れ測定値の増加と、前記換気量測定値の減少とを含み、前記更なる同時変化は、前記漏れ測定値の減少と、前記換気量測定値の増加とを含む、実施形態１６に記載の装置。
［実施形態１８］
前記換気量測定値は、二分割されたフローの前記測定値の低域通過フィルタリングされた絶対値を含み、前記漏れ測定値は、計算された漏れコンダクタンスの関数として求められた瞬時漏れを含む、実施形態１２に記載の装置。
［実施形態１９］
前記解析は、前記換気量測定値及び前記漏れ測定値を表すデータを用いて共分散を求める、実施形態１２に記載の装置。
［実施形態２０］
前記解析は、前記漏れ測定値を表すデータを用いて勾配を更に求める、実施形態１９に記載の装置。
［実施形態２１］
前記解析は、前記勾配の正負符号と前記共分散との積を積分する、実施形態２０に記載の装置。
［実施形態２２］
前記漏れ事象を特定することは、前記積分された積と閾値との比較に基づいて連続口漏れ事象をスコアリングすることを含む、実施形態２１に記載の装置。
［実施形態２３］
フローセンサであって、前記コントローラは、該フローセンサを用いて前記呼吸可能なガスの測定フローを求めるように更に構成される、フローセンサと、
患者に対し大気圧よりも高い圧力で呼吸可能なガスを生成するように構成されたフロー生成器であって、前記コントローラは前記フロー生成器を制御して、前記検出された漏れに基づく圧力治療計画に従って前記呼吸可能なガスを生成するように更に構成される、フロー生成器と、
を更に備える、実施形態１２に記載の装置。
［実施形態２４］
プロセッサを制御して、呼吸可能なガスの測定フローから漏れを検出する方法であって、該プロセッサの該方法は、
呼吸において閾値未満に下降したフローの前記測定値と関連付けられた第１の発生と、前記呼吸において前記閾値を超えて上昇したフローの前記測定値と関連付けられた第２の発生とを求めるステップと、
前記第１の発生及び前記第２の発生との間に経過する時間によって規定される持続時間を解析するステップと、
前記解析するステップに基づいて漏れ事象を特定するステップと、
を含む、プロセッサを制御して、呼吸可能なガスの測定フローから漏れを検出する方法。
［実施形態２５］
前記閾値は前記呼吸の所定のフローの所定の割合を含む、実施形態２４に記載の方法。
［実施形態２６］
前記所定のフローは前記呼吸の最大フローである、実施形態２５に記載の方法。
［実施形態２７］
前記解析するステップは前記持続時間を別の閾値と比較するステップを含む、実施形態２４に記載の方法。
［実施形態２８］
前記割合は５％〜３０％の範囲の率を含む、実施形態２５に記載の方法。
［実施形態２９］
前記持続時間は、前記第１の発生と前記第２の発生との間の時間を表す、実施形態２４に記載の方法。
［実施形態３０］
前記漏れ事象は、前記持続時間が前記別の閾値未満に下降したときに開始を特定される、実施形態２７に記載の方法。
［実施形態３１］
前記漏れ事象は、前記持続時間が前記別の閾値を満たすか又は超えたときに終了を特定される、実施形態３０に記載の方法。
［実施形態３２］
前記別の閾値は、０．０５秒〜０．４秒を表す範囲の値を含む、実施形態３０に記載の方法。
［実施形態３３］
前記特定された前記漏れ事象に基づいて圧力治療への調整を制御するステップを更に含む、実施形態２４に記載の方法。
［実施形態３４］
漏れ検出装置であって、
呼吸可能なガスの測定フローを表すデータにアクセスする少なくとも１つのプロセッサを有するコントローラであって、該コントローラは、
呼吸において閾値未満に下降したフローの前記測定値と関連付けられた第１の発生と、前記呼吸において前記閾値を超えて上昇したフローの前記測定値と関連付けられた第２の発生とを求め、
前記第１の発生及び前記第２の発生との間に経過する時間によって規定される持続時間を解析し、
前記解析に基づいて漏れ事象を特定する、
ように更に構成される、コントローラを備える、漏れ検出装置。
［実施形態３５］
前記閾値は前記呼吸の所定のフローの所定の割合を含む、実施形態３４に記載の装置。
［実施形態３６］
前記所定のフローは前記呼吸の最大フローである、実施形態３５に記載の装置。
［実施形態３７］
前記解析は前記持続時間の別の閾値との比較を含む、実施形態３４に記載の装置。
［実施形態３８］
前記割合は５％〜３０％の範囲の率を含む、実施形態３５に記載の装置。
［実施形態３９］
前記持続時間は、前記第１の発生と前記第２の発生との間の時間を表す、実施形態３４に記載の装置。
［実施形態４０］
前記漏れ事象は、前記持続時間が前記別の閾値未満に下降したときに開始を特定される、実施形態３７に記載の装置。
［実施形態４１］
前記漏れ事象は、前記持続時間が前記別の閾値を満たすか又は超えたときに終了を特定される、実施形態４０に記載の装置。
［実施形態４２］
前記別の閾値は、０．０５秒〜０．４秒を表す範囲の値を含む、実施形態４１に記載の装置。
［実施形態４３］
フローセンサであって、前記コントローラは、該フローセンサを用いて前記呼吸可能なガスの測定フローを求めるように更に構成される、フローセンサと、
患者に対し大気圧よりも高い圧力で呼吸可能なガスを生成するように構成されたフロー生成器であって、前記コントローラは前記フロー生成器を制御して、前記検出された漏れに基づく圧力治療計画に従って前記呼吸可能なガスを生成するように更に構成される、フロー生成器と、
を更に備える、実施形態３４に記載の装置。
［実施形態４４］
漏れ検出装置であって、
呼吸可能なガスの測定フローを表すデータにアクセスする少なくとも１つのプロセッサを有するコントローラであって、該コントローラは、
前記呼吸可能なガスの測定フローから複数の特徴を求め、
時間閾値及び大きさ閾値を用いて前記複数の特徴を解析し、
前記解析に基づいて、連続口漏れを表す漏れインジケータを設定する、
ように構成される、コントローラを備える、漏れ検出装置。
［実施形態４５］
前記複数の特徴は第１の特徴及び第２の特徴を含み、
前記解析は、前記第１の特徴を比較して、前記時間閾値に起因する所定の時間期間にわたって存在する前記第１の特徴の変化を検出することを含み、
前記解析は、前記所定の時間期間にわたる前記変化を検出する前記第１の特徴の前記比較に基づいて、前記第２の特徴を前記大きさ閾値と比較することを更に含む、実施形態４４に記載の装置。
［実施形態４６］
前記第１の特徴は変更済みの共分散信号を含む、実施形態４５に記載の装置。
［実施形態４７］
前記第１の特徴の前記変化は負である、実施形態４６に記載の装置。
［実施形態４８］
前記第２の特徴は共分散和を含む、実施形態４６に記載の装置。
［実施形態４９］
前記漏れインジケータは、前記比較によって前記第２の特徴が前記閾値未満に下降していることが検出された場合、連続口漏れを表すように設定される、実施形態４８に記載の装置。
［実施形態５０］
前記第１の特徴及び前記第２の特徴は、換気量測定値及び瞬時漏れ測定値から導出される、実施形態４８に記載の装置。
［実施形態５１］
フローセンサであって、前記コントローラは、該フローセンサを用いて前記呼吸可能なガスの測定フローを求めるように更に構成される、フローセンサと、
患者に対し大気圧よりも高い圧力で呼吸可能なガスを生成するように構成されたフロー生成器であって、前記コントローラは前記フロー生成器を制御して、圧力治療計画に従って前記呼吸可能なガスを生成するように更に構成される、フロー生成器と、
を更に備える、実施形態４４に記載の装置。
［実施形態５２］
前記コントローラは前記フロー生成器を制御して、前記漏れインジケータに基づく前記圧力治療計画に従って前記呼吸可能なガスを生成するように更に構成される、実施形態５１に記載の装置。
［実施形態５３］
呼吸治療装置のための漏れ検出方法であって、
呼吸治療装置と関連付けられた呼吸可能なガスの測定フローから複数の特徴を求めるステップと、
プロセッサにおいて、時間閾値及び大きさ閾値を用いて前記複数の特徴を解析するステップと、
前記解析に基づいて、連続口漏れを表す漏れインジケータを設定するステップと、
を含む、呼吸治療装置のための漏れ検出方法。
［実施形態５４］
漏れ検出装置であって、
呼吸可能なガスの測定フローを表すデータにアクセスする少なくとも１つのプロセッサを有するコントローラであって、該コントローラは、
前記呼吸可能なガスの測定フローから特徴を求め、
前記特徴を解析し、
口漏れの検出を表す漏れインジケータを生成して弁状口漏れを排除する、
ように構成される、コントローラを備える、漏れ検出装置。
［実施形態５５］
前記特徴のうちの１つは変更済みの共分散信号を含む、実施形態５４に記載の装置。
［実施形態５６］
前記特徴のうちの１つは共分散和を含む、実施形態５５に記載の装置。
［実施形態５７］
前記特徴のうちの１つは、弁状口漏れのレベルを示す信号を含む、実施形態５６に記載の装置。
［実施形態５８］
前記特徴は、換気量測定値及び瞬時漏れ測定値から導出される、実施形態５７に記載の装置。
［実施形態５９］
フローセンサであって、前記コントローラは、該フローセンサを用いて前記呼吸可能なガスの測定フローを求めるように更に構成される、フローセンサと、
患者に対し大気圧よりも高い圧力で呼吸可能なガスを生成するように構成されたフロー生成器であって、前記コントローラは前記フロー生成器を制御して、圧力治療計画に従って前記呼吸可能なガスを生成するように更に構成される、フロー生成器と、
を更に備える、実施形態５４に記載の装置。
［実施形態６０］
前記コントローラは前記フロー生成器を制御して、前記漏れインジケータに基づく前記圧力治療計画に従って前記呼吸可能なガスを生成するように更に構成される、実施形態５９に記載の装置。
［実施形態６１］
呼吸治療装置のための漏れ検出方法であって、
呼吸治療装置に起因した呼吸可能なガスの測定フローから特徴を求めるステップと、
プロセッサを用いて前記特徴を解析するステップと、
前記プロセッサにおいて口漏れの検出を表すリンクインジケータを生成して弁状口漏れを排除する、生成するステップと、
を含む、呼吸治療装置のための漏れ検出方法。
［実施形態６２］
漏れ検出及び漏れ制御のための呼吸治療装置であって、
呼吸可能なガスに起因した圧力及びフローを測定するように構成されたセンサと、
患者に対し大気圧よりも高い圧力で呼吸可能なガスを生成するように構成されたフロー生成器と、
少なくとも１つのプロセッサを有するコントローラであって、前記センサ及び前記フロー生成器と結合され、該フロー生成器を制御して、圧力治療計画に従って前記呼吸可能なガスを生成するように構成され、該コントローラは、
測定フロー信号の解析に基づいて漏れ事象を検出するように構成された漏れ検出モジュールと、
前記フロー生成器によって供給される治療圧力を、前記漏れ検出モジュールの出力の大きさの関数として調整するように構成された圧力調整モジュールであって、該調整は前記漏れ事象を低減するためのものである、圧力調整モジュールと、
を備える、コントローラと、
を備える、漏れ検出及び漏れ制御のための呼吸治療装置。
［実施形態６３］
前記漏れ検出モジュールは、連続口漏れを検出するように構成される、実施形態６２に記載の装置。
［実施形態６４］
前記圧力調整モジュールは、圧力を前記漏れの関数として減少させるように構成される、実施形態６２に記載の装置。
［実施形態６５］
前記圧力調整モジュールは、圧力を前記漏れの関数として増加させるように構成される、実施形態６２に記載の装置。
［実施形態６６］
前記圧力調整モジュールは、患者フロー信号を解析して、圧力の増加及び圧力の減少の調整確率を計算するように構成される、実施形態６２に記載の装置。
［実施形態６７］
前記圧力調整モジュールは、前記調整確率と閾値との比較に基づいて圧力を調整するように構成される、実施形態６６に記載の装置。
［実施形態６８］
前記コントローラは呼吸可能なガスの測定フローを表すデータにアクセスし、それによって、
前記呼吸可能なガスの測定フローから複数の特徴を求め、
時間閾値及び大きさ閾値を用いて前記複数の特徴を解析し、
前記解析に基づいて、連続口漏れを表す漏れインジケータを設定する、
ように更に構成される、実施形態６６に記載の装置。
［実施形態６９］
前記複数の特徴は第１の特徴及び第２の特徴を含み、
前記解析は、前記第１の特徴を比較して、前記時間閾値に起因する所定の時間期間にわたって存在する前記第１の特徴の変化を検出することを含み、
前記解析は、前記所定の時間期間にわたる前記変化を検出する前記第１の特徴の前記比較に基づいて、前記第２の特徴を前記大きさ閾値と比較することを更に含む、
実施形態６８に記載の装置。
［実施形態７０］
前記第１の特徴は、変更済みの共分散信号を含み、前記第２の特徴は共分散和を含む、実施形態６９に記載の装置。
［実施形態７１］
漏れ検出及び漏れ制御のための呼吸治療装置の方法であって、
大気圧よりも高い圧力で生成された呼吸可能なガスに起因した圧力及びフローを測定するステップと、
測定フロー信号の解析に基づいて漏れ事象を検出するステップと、
治療圧力を、前記検出された漏れ事象の大きさの関数として調整するステップであって、該調整は前記漏れ事象を低減するためのものである、調整するステップと、
を含む、漏れ検出及び漏れ制御のための呼吸治療装置の方法。